(57)【要約】【課題】ロール紙あるいはカット紙の用紙指定を不要とすることで、印字ジョブの入力を容易に行わせること。【解決手段】ロール紙１１０とカット紙であるＩＣタグ１００との自動給紙の切り替えを行う自動給紙切り替え機構３０と、少なくともロール紙１１０とＩＣタグ１００との選択を示す用紙選択情報である用紙選択コード及び印字データである商品名、品番、カラー、バーコード等を有する印字ジョブを記憶する記憶手段であるＲＡＭとを有し、制御手段であるＣＰＵにより用紙選択コードに基づき、自動給紙切り替え機構３０によるロール紙１１０とＩＣタグ１００との自動給紙の切り替えが制御されるようにした。【選択図】図１
2010105199.tif 000002
【特許請求の範囲】
【請求項１】
ロール紙とカット紙との自動給紙の切り替えを行う自動給紙切り替え機構と、
少なくとも前記ロール紙と前記カット紙との選択を示す用紙選択情報及び印字データを有する印字ジョブを記憶する記憶手段と、
前記用紙選択情報に基づき、前記自動給紙切り替え機構による前記ロール紙と前記カット紙との自動給紙の切り替えを制御する制御手段とを備える
ことを特徴とする印字装置。
【請求項２】
前記用紙選択情報には、前記ロール紙と前記カット紙との自動給紙の切り替えを選択するための選択情報が含まれていることを特徴とする請求項１に記載の印字装置。
【請求項３】
自動給紙切り替え機構により、ロール紙とカット紙との自動給紙の切り替えを行う工程と、
記憶手段により、少なくとも前記ロール紙と前記カット紙との選択を示す用紙選択情報及び印字データを有する印字ジョブを記憶する工程と、
制御手段により、前記用紙選択情報に基づき、前記自動給紙切り替え機構による前記ロール紙と前記カット紙との自動給紙の切り替えを制御する工程とを有する
ことを特徴とする印字方法。
【発明の詳細な説明】
【技術分野】
【０００１】
本発明は、ロール紙及びカット紙への印字が可能な印字装置及び印字方法に関する。
【背景技術】
【０００２】
従来より、ロール紙及びカット紙への印字が可能な印字装置が知られている。この印字装置は、自動給紙切り替え機構を有し、ロール紙とカット紙との給紙を切り換えることで、それぞれのロール紙及びカット紙に対しての印字を行うものである。
【０００３】
このようなロール紙及びカット紙への印字を行うものとして、特許文献１では、ロール紙を保持するロール紙給紙ホルダーと、カット紙を保持するカット紙給紙トレイと、ロール紙を印字位置まで搬送するロール紙搬送ローラと、カット紙を印字位置まで搬送するカット紙搬送ローラとを備え、たとえばロール紙に対する印字の後にカット紙に対して印字を行うとき、ロール紙搬送ローラによってロール紙の先端がカット紙の搬送に邪魔にならない位置まで引き戻すようにした自動給紙切り換え機構を有する画像形成装置を提案している。
【０００４】
【特許文献１】特開２００８−１１０５０６号公報
【発明の開示】
【発明が解決しようとする課題】
【０００５】
ところで、上述した特許文献１の画像形成装置では、ロール紙印字ジョブとカット紙印字ジョブとが混在して入力された場合、それぞれの印字ジョブを、ロール紙印字ジョブ毎あるいはカット紙印字ジョブ毎にまとめるように印字ジョブの入れ換えが行われることで、スループット時間が短縮できるようになっている。
【０００６】
ところが、このようなロール紙及びカット紙への印字を行う方法では、画像形成装置に印字ジョブを入力する度に、ロール紙あるいはカット紙の用紙指定を行う必要があり、印字ジョブの入力が煩雑なものとなってしまうという問題があった。
【０００７】
本発明は、このような状況に鑑みてなされたものであり、ロール紙あるいはカット紙の用紙指定を不要とすることで、印字ジョブの入力を容易に行わせることができる印字装置及び印字方法を提供することを目的とする。
【課題を解決するための手段】
【０００８】
本発明の印字装置は、ロール紙とカット紙との自動給紙の切り替えを行う自動給紙切り替え機構と、少なくとも前記ロール紙と前記カット紙との選択を示す用紙選択情報及び印字データを有する印字ジョブを記憶する記憶手段と、前記用紙選択情報に基づき、前記自動給紙切り替え機構による前記ロール紙と前記カット紙との自動給紙の切り替えを制御する制御手段とを備えることを特徴とする。
また、前記用紙選択情報には、前記ロール紙と前記カット紙との自動給紙の切り替えを選択するための選択情報が含まれているようにすることができる。
本発明の印字方法は、自動給紙切り替え機構により、ロール紙とカット紙との自動給紙の切り替えを行う工程と、記憶手段により、少なくとも前記ロール紙と前記カット紙との選択を示す用紙選択情報及び印字データを有する印字ジョブを記憶する工程と、制御手段により、前記用紙選択情報に基づき、前記自動給紙切り替え機構による前記ロール紙と前記カット紙との自動給紙の切り替えを制御する工程とを有することを特徴とする。
本発明の印字装置及び印字方法では、記憶手段に記憶される、少なくともロール紙とカット紙との選択を示す用紙選択情報に基づき、制御手段により、自動給紙切り替え機構によるロール紙とカット紙との自動給紙の切り替えが制御される。
【発明の効果】
【０００９】
本発明の印字装置及び印字方法によれば、記憶手段に記憶される、少なくともロール紙とカット紙との選択を示す用紙選択情報に基づき、制御手段により、自動給紙切り替え機構によるロール紙とカット紙との自動給紙の切り替えが制御されるようにしたので、ロール紙あるいはカット紙の用紙指定を不要とすることができ、印字ジョブの入力を容易に行わせることができる。
【発明を実施するための最良の形態】
【００１０】
以下、本発明の一実施形態を、図１〜図５を用いて説明する。ここで、図１は本発明の印字装置の一実施形態を示す図であり、図２及び図３は図１の自動給紙切り替え機構の詳細を説明するための図であり、図４は図１の印字装置の印字部を上方から見た場合の平面図であり、図５は印字済みの印字媒体を収容するスタッカを説明するための図である。
【００１１】
まず、図１に示す印字装置１は、たとえばインクジェット方式による印字を行うものであり、カット紙ホルダー１０、ロール紙ホルダー２０、自動給紙切り替え機構３０、印字部４０、搬送機構部５０、カッタ機構部６０、スタッカ７０、制御部８０を備えている。
【００１２】
カット紙ホルダー１０は、印字前の印字媒体である、たとえばＩＣタグ１００を収容する筐体１０ａを有している。この筐体１０ａは、たとえば箱形の形状をなし、ヒンジ１１を介して開閉自在とされた天板１２を有している。天板１２を開放することで、ＩＣタグ１００を補充することができるようになっている。なお、ここでは、印字媒体として、たとえばＩＣタグ１００を示しているが、ＩＣタグ１００に限らず、他のラベル等の枚葉紙であってもよい。
【００１３】
また、筐体１０ａの内部には、スプリング１３によって上方に付勢され、ＩＣタグ１００を載置する載置台１４と、ＩＣタグ１００を印字部４０側に送り出す送り出しローラ１５と、ＩＣタグ１００の有無を検出する用紙検出センサ１６が設けられている。なお、送り出しローラ１５の駆動力は、図示しないモータから与えられるようにしてもよいし、図示しないクラッチ機構等を介して後述のステップモータ５７から与えられるようにしてもよい。
【００１４】
ロール紙ホルダー２０は、ロール紙１１０を回転自在に支持する支持軸２１を有している。
【００１５】
自動給紙切り替え機構３０は、図１〜図３に示すように、カット紙ホルダー１０側の送り出しローラ１５によって送り出されたＩＣタグ１００を印字部４０側に繰り出す繰り出しローラ３１，３２と、ロール紙ホルダー２０側のロール紙１１０を印字部４０側に送り出す駆動ローラ３３及び接離ローラ３４と、ロール紙１１０の先端部分を検出するセンサＡとを有している。
【００１６】
ここで、繰り出しローラ３１，３２と駆動ローラ３３とは、後述の印字ジョブの内容に応じて駆動が制御されるようになっている。また、駆動ローラ３３は、ロール紙１１０への印字が行われる場合に正回転し、ロール紙１１０への印字が終了してＩＣタグ１００への印字が行われるとき、逆回転するようになっている。
【００１７】
また、接離ローラ３４は、駆動ローラ３３に対して接離するように設けられており、ロール紙１１０への印字が行われる場合、図２に示すように、駆動ローラ３３側に移動する。これにより、ロール紙１１０が駆動ローラ３３と接離ローラ３４とによって挟持され、駆動ローラ３３の正回転により印字部４０側に送り出される。
【００１８】
一方、たとえばロール紙１１０への印字が終了したとき、あるいはＩＣタグ１００への印字が行われるとき、駆動ローラ３３が逆回転してロール紙１１０が引き戻される。この場合、ロール紙１１０の先端部分がセンサＡによって検出される位置まで引き戻される。これにより、ＩＣタグ１００がロール紙１１０に邪魔されることなく、印字部４０側に繰り出されるようになっている。
【００１９】
また、そのロール紙１１０の先端部分がセンサＡによって検出されると、図３に示すように、接離ローラ３４が駆動ローラ３３から離されるようになっている。これにより、ロール紙１１０に対する無用なテンションが解かれる。すなわち、常に、接離ローラ３４が駆動ローラ３３に接してロール紙１１０を挟持しているようにすると、印字に伴うロール紙１１０の巻き回径の減少に伴い、ロール紙１１０に対するテンションが高くなって、ロール紙１１０に撓み等が生じてしまう可能性がある。そこで、印字が行われない場合にロール紙１１０に対する無用なテンションが解かれるようにすることで、ロール紙１１０に撓み等が生じないようにしている。
【００２０】
なお、センサＡは、駆動ローラ３３が逆回転してロール紙１１０が引き戻されときにロール紙１１０の先端部分を検出する以外に、印字が行われる際に駆動ローラ３３によって送り出されたときにロール紙１１０の先端部分を検出するようにしてもよい。このようにすると、印字が行われる際に駆動ローラ３３によって送り出されたロール紙１１０の先端部分が検出されなければ、用紙切れや用紙ジャムが発生したことを知らせることが可能となる。
【００２１】
また、ＩＣタグ１００への印字が行われるとき、カット紙ホルダー１０側の送り出しローラ１５によって送り出されたＩＣタグ１００が繰り出しローラ３１，３２の間に挟まれつつ、繰り出しローラ３１，３２の回転により、印字部４０側に繰り出される。このとき、上述したように、ロール紙１１０の先端部分がセンサＡによって検出される位置まで引き戻されているため、ＩＣタグ１００がロール紙１１０に邪魔されることなく、印字部４０側に繰り出されることになる。
【００２２】
なお、これらの繰り出しローラ３１，３２及び駆動ローラ３３の駆動力は、上記同様に、図示しないモータから与えられるようにしてもよいし、図示しないクラッチ機構等を介して後述のステップモータ５７から与えられるようにしてもよい。
【００２３】
印字部４０は、上述したＩＣタグ１００やロール紙１１０への印字等を行うものであり、図１及び図２に示すように、用紙検出用のセンサＢ、インクジェットヘッド４１、送受信モジュール４３を有している。
【００２４】
用紙検出用のセンサＢは、繰り出しローラ３１，３２によって繰り出されたＩＣタグ１００や駆動ローラ３３によって送り出されたロール紙１１０のたとえば先端部分を検出する反射型のセンサである。なお、センサＢは、透過型であってもよい。また、ＩＣタグ１００やロール紙１１０の表面側にＩマーク等の目印が付されている場合は、その目印を検出するようにしてもよい。そして、このセンサＢによる検出結果により、インクジェットヘッド４１によるＩＣタグ１００やロール紙１１０への印字開始位置が決定されるようになっている。
【００２５】
インクジェットヘッド４１は、ノズル４１ａからインクの微細粒子をＩＣタグ１００やロール紙１１０の印字面に吹き付けることにより印字を行うものである。
【００２６】
また、インクジェットヘッド４１は、たとえばブラック（Ｋ）の単色印字を行うものであり、ガイドシャフト４２に沿ってＩＣタグ１００やロール紙１１０の搬送方向に対し直交する方向（ＩＣタグ１００やロール紙１１０の幅方向）に移動（走査）されるシリアルヘッド方式である。なお、インクジェットヘッド４１は、ＩＣタグ１００やロール紙１１０の幅方向にわたるノズル列を有し、ＩＣタグ１００やロール紙１１０を印字方向に対して垂直方向に搬送させることにより画像を形成するラインヘッド方式としてもよい。
【００２７】
ここで、インクジェットヘッド４１は、たとえばブラック（Ｋ）の単色印字を行う場合で示しているが、これに限らず、カラー印字を行うようにしてもよい。この場合、シリアルヘッド方式とするとき、インクジェットヘッド４１をたとえば４個とし、それぞれのインクジェットヘッド４１をガイドシャフト４２に沿って併設し、それぞれのインクジェットヘッド４１からの各色のインクの微細粒子を吹き付けて重ね合わせることでカラー印字を行うことができる。
【００２８】
また、ラインヘッド方式とするとき、それぞれのインクジェットヘッド４１をＩＣタグ１００やロール紙１１０の搬送方向に沿って併設し、さらにそれぞれのインクジェットヘッド４１にＩＣタグ１００やロール紙１１０の幅方向にわたるノズル列を設け、上記同様に、それぞれのインクジェットヘッド４１からの各色のインクの微細粒子を吹き付けて重ね合わせることでカラー印字を行うことができる。
【００２９】
なお、ここでは、インクジェットヘッド４１を例示しているが、これに限らず、サーマルヘッド等の他の印字ヘッドを用いてもよいことは勿論である。
【００３０】
図１に示す送受信モジュール４３は、図４に示すＩＣタグ１００に設けられている、基板であるプラスチックフィルム（図示省略）に搭載したＩＣチップ１０２とアンテナ１０３とを有するインレット１０１に対して電波（たとえば２．４５ＧＨｚ）を発し、インレット１０１を誘電動作させ、ＩＣチップ１０２に対する情報の書き込みや読み出しを行うものである。
【００３１】
図１に示す搬送機構部５０は、搬送ベルト５１を駆動する駆動ローラ５２，５３と、ＩＣタグ１００やロール紙１１０の浮き上がりを押さえる押さえローラ５４，５５と、タイミングベルト５６を介して駆動ローラ５２に駆動力を与えるステップモータ５７とを有している。搬送機構部５０は、ＩＣタグ１００やロール紙１１０を搬送することにより、印字後にスタッカ７０に送り込むことができる。また、搬送機構部５０は、ＩＣタグ１００やロール紙１１０をバックフィードすることができる。
【００３２】
カッタ機構部６０は、印字済みのロール紙１１０を所定長さで切断するものであり、固定刃６１と可動刃６２とを有している。
【００３３】
スタッカ７０は、図１及び図５に示すように、印字済みのＩＣタグ１００を収容する筐体７０ａと、カッタ機構部６０によって切断された印字済みのロール紙１１０を収容する筐体７０ｂとを有している。
【００３４】
筐体７０ａは、たとえば箱形の形状をなし、ヒンジ７１を介して開閉自在とされた天板７２を有している。天板７２を開放することで、印字済みのＩＣタグ１００を取り出すことができるようになっている。
【００３５】
また、筐体７０ａの駆動ローラ５３側に向けられた側面には、印字済みのＩＣタグ１００を取り込む取込口７３が設けられている。取込口７３には、軸７４ａを介して水平位置から矢印ａ方向に回動自在とされた振分板７４と、ＩＣタグ１００の浮き上がりを押さえる押さえローラ７４ｂとが設けられている。
【００３６】
この振分板７４は、ＩＣタグ１００への印字が行われるとき水平位置にあり、ロール紙１１０への印字が行われるとき、図５に示すように、矢印ａ方向に回動し、カッタ機構部６０によって切断された印字済みのロール紙１１０を筐体７０ｂ側に導くように振り分けるものである。このとき、押さえローラ７４ｂは、振分板７４の回動に併せて上方に変移するようになっている。
【００３７】
また、筐体７０ａの内部には、取込口７３から取り込まれたＩＣタグ１００を内部に引き込むための引き込みローラ体７５が設けられている。この引き込みローラ体７５は、駆動ローラ７５ａ，７５ｂと駆動ベルト７５ｃとを有しており、図示しないモータの駆動力によって駆動するようになっている。なお、引き込みローラ体７５の駆動のタイミングは、たとえば取込口７３にＩＣタグ１００の進入を検知するセンサを設けておき、そのセンサによってＩＣタグ１００の進入が検知されたときとすることができる。
【００３８】
筐体７０ｂは、たとえば箱形の形状をなし、上述した振分板７４と対応する位置に取込口７６を有している。この取込口７６は、上述したように、ロール紙１１０への印字が行われるとき、振分板７４が矢印ａ方向に回動することで、開放されるようになっている。そして、カッタ機構部６０によって切断された印字済みのロール紙１１０がその取込口７６から取り込まれ、筐体７０ｂ内部に収容されるようになっている。
【００３９】
また、筐体７０ｂは、ヒンジ７７を介して開閉自在とされた開閉板７８を有している。開閉板７８を開放することで、カッタ機構部６０によって切断された印字済みのロール紙１１０を取り出すことができるようになっている。
【００４０】
次に、図６及び図７を用い、図１の制御部８０の詳細について説明する。ここで、図６は制御部８０の詳細を示すブロック図であり、図７は制御部８０のＲＡＭに展開される印字ジョブの内容を説明するための図である。
【００４１】
図６に示すように、制御部８０は、ＣＰＵ８１、ＲＯＭ８２、ＲＡＭ８３、外部インタフェース８４、インタフェース８５、モータ制御部８６、センサ制御部８７、自動給紙切り替え制御部８８、印字制御部８９、送受信モジュール制御部９０、カッタ機構制御部９１、振分板制御部９２を備えている。また、これらはバス９３を介して接続されている。
【００４２】
ＣＰＵ８１は、ＲＯＭ８２に格納されている制御プログラムに基づいて各部の動作を制御するものである。本実施形態におけるＣＰＵ８１の主な制御としては、ＲＡＭ８３に展開された後述の印字ジョブの内容に従い、自動給紙切り替え機構３０等を制御してＩＣタグ１００及びロール紙１１０への印字を行わせる点に特徴がある。
【００４３】
ＲＯＭ８２には、ＣＰＵ８１が各部を制御するための制御プログラム等が格納されている。ＲＡＭ８３には、たとえば図７に示すような印字ジョブのデータが一時的に記憶される。すなわち、図７に示す印字ジョブのデータは、たとえば後述の外部インタフェース８４を介して図示しないホストコンピュータ等から得られるものであり、そのデータにはたとえば印字ジョブ番号５３ａ、商品名５３ｂ、品番５３ｃ、カラー５３ｄ、バーコード５３ｅ、印字レイアウト５３ｆ、用紙選択コード５３ｇ等が含まれている。
【００４４】
ここで、印字ジョブ番号５３ａは、印字順を示す番号であり、番号の小さい順に、印字レイアウト５３ｆ及び用紙選択コード５３ｇを除いた商品名５３ｂ、品番５３ｃ、カラー５３ｄ及びバーコード５３ｅが印字される。なお、印字レイアウト５３ｆは、ＩＣタグ１００又はロール紙１１０に対する商品名５３ｂ、品番５３ｃ、カラー５３ｄ及びバーコード５３ｅの印字位置等のレイアウトを設定するものであり、たとえばａ，ｂ，ｃ等の記号等で示される。
【００４５】
また、このようなａ，ｂ，ｃ等の記号等で示される印字レイアウト５３ｆのデータは、ＲＯＭ８２に記憶されているため、ＣＰＵ８１がその印字レイアウト５３ｆのデータをＲＯＭ８２から読み出し、印字制御部８９に与えることで、その印字レイアウト５３ｆのデータに基づいた印字が行われる。
【００４６】
また、印字の際には、用紙選択コード５３ｇに基づいてＩＣタグ１００又はロール紙１１０が選択されるようになっている。すなわち、用紙選択コード５３ｇが「１」の場合はロール紙１１０への印字が行われ、用紙選択コード５３ｇが「２」の場合はＩＣタグ１００への印字が行われることを示している。なお、用紙選択コード５３ｇが「３」の場合は、ＩＣタグ１００又はロール紙１１０のいずれかが選択されることを示している。この場合、後述の表示部９５にＩＣタグ１００又はロール紙１１０のいずれかの選択を促す内容が表示され、後述の入力部９４からの選択入力を受け付けてから印字が行われることになる。
【００４７】
外部インタフェース８４は、図示しないホストコンピュータ等の機器との間で印字ジョブのデータ等の各種データの送受信を行う。インタフェース８５は、入力部９４からのたとえば上述した選択入力を受け付けるとともに、表示部９５に対して表示のための情報（たとえば上述したＩＣタグ１００又はロール紙１１０のいずれかの選択を促す内容）を出力する。ここで、入力部９４及び表示部９５は、印字装置１の図示しない操作部に設けられているものである。
【００４８】
モータ制御部８６は、ステップモータ５７を駆動させることにより、駆動ローラ５２を駆動させ、ＩＣタグ１００又はロール紙１１０を搬送させる。センサ制御部８７は、上述したセンサＡ、センサＢ及び用紙検出センサ１６の検出動作を制御するとともに、センサＡ、センサＢ及び用紙検出センサ１６からの検出信号を受け取ると、その検出信号をＣＰＵ８１に通知する。
【００４９】
自動給紙切り替え制御部８８は、ＣＰＵ８１から受け取る上述した用紙選択コード５３ｇのデータに基づき、自動給紙切り替え機構３０の切り替え動作を制御する。印字制御部８９は、上述した印字ジョブのデータに基づき、たとえば印字レイアウト５３ｆ及び用紙選択コード５３ｇを除いた商品名５３ｂ、品番５３ｃ、カラー５３ｄ及びバーコード５３ｅに対応する制御信号を生成し、インクジェットヘッド４１に供給してＩＣタグ１００又はロール紙１１０に対する印字を行わせる。送受信モジュール制御部９０は、送受信モジュール４３による上述したインレット１０１のＩＣチップ１０２に対する情報の書き込みや読み出し動作を制御する。
【００５０】
カッタ機構制御部９１は、カッタ機構部６０を制御して、インクジェットヘッド４１による印字済みのロール紙１１０を所定長さで切断させる。振分板制御部９２は、ＣＰＵ８１から受け取る上述した用紙選択コード５３ｇのデータに基づき、振分板７４の回動を制御する。すなわち、上述したように、用紙選択コード５３ｇが「２」の場合はＩＣタグ１００への印字が行われることになるため、振分板７４の回動は行われないが、用紙選択コード５３ｇが「１」の場合はロール紙１１０への印字が行われることになるため、図５で説明したように、振分板７４を矢印ａ方向に回動させる。これにより、上述したように、カッタ機構部６０によって切断された印字済みのロール紙１１０が筐体７０ｂ側に導かれて筐体７０ｂ内部に収容される。
【００５１】
次に、図８のフローチャート等を参照し、印字装置１の動作について説明する。まず、上述したＲＡＭ８３に、たとえば図７に示したような印字ジョブのデータが一時的に記憶されると、ＣＰＵ８１により、用紙選択コード５３ｇの内容が判断される。ここで、用紙選択コード５３ｇの内容は、通常、印字順である印字ジョブ番号５３ａの小さい順に判断される（ステップＳ１）。
【００５２】
用紙選択コード５３ｇが「１」の場合は、ロール紙１１０に該当するため、ロール紙１１０であると判断すると（ステップＳ１：ＹＥＳ）、自動給紙切り替え機構３０の接離ローラ３４が駆動ローラ３３側に移動する（ステップＳ２）。これにより、ロール紙１１０が駆動ローラ３３と接離ローラ３４とによって挟持される。
【００５３】
次いで、図５に示した振分板７４が矢印ａ方向に回動する（ステップＳ３）。これにより、筐体７０ｂの取込口７６が開放される。
【００５４】
次いで、ロール紙１１０が駆動ローラ３３の正回転により印字部４０側に送り出され（ステップＳ４）、センサＢによってロール紙１１０のたとえば先端部分が検出されたかどうかが判断される（ステップＳ５）。
【００５５】
ここで、センサＢによってロール紙１１０のたとえば先端部分が検出されると（ステップＳ５：ＹＥＳ）、インクジェットヘッド４１によるロール紙１１０への印字開始位置が決定され、インクジェットヘッド４１によるロール紙１１０への印字が行われる（ステップＳ６）。ここでは、上述した印字ジョブのデータに基づき、たとえば印字レイアウト５３ｆ及び用紙選択コード５３ｇを除いた商品名５３ｂ、品番５３ｃ、カラー５３ｄ及びバーコード５３ｅ等が印字される。
【００５６】
これに対し、ステップＳ５において、所定時間経過してもセンサＢによる検出が無ければ（ステップＳ５：ＮＯ）、用紙切れや用紙ジャムが発生したことを知らせることが可能となる。
【００５７】
そして、ロール紙１１０への印字が終了すると、カッタ機構部６０の可動刃６２の動作により、印字済みのロール紙１１０が所定長さでカットされる（ステップＳ７）。ここで、ロール紙１１０に対する印字ジョブが終了かどうかが判断され（ステップＳ８）、他の用紙選択コード５３ｇが「１」となっている印字ジョブが続いて残っていれば（ステップＳ８：ＮＯ）、ステップＳ６に戻り、インクジェットヘッド４１によるロール紙１１０への印字が行われる。
【００５８】
これに対し、他の用紙選択コード５３ｇが「１」となっている印字ジョブがなければ（ステップＳ８：ＹＥＳ）、印字ジョブ終了となり、駆動ローラ３３の逆回転により、ロール紙１１０がバックフィードされる（ステップＳ９）。
【００５９】
そして、センサＡによる検出があったかどうかが判断され（ステップＳ１０）、そのロール紙１１０の先端部分がセンサＡによって検出されると（ステップＳ１０：ＹＥＳ）、接離ローラ３４が駆動ローラ３３から離される（ステップＳ１１）。これにより、上述したように、ロール紙１１０に対する無用なテンションが解かれる。
【００６０】
また、ロール紙１１０の先端部分がセンサＡによって検出される位置まで引き戻されることにより、ＩＣタグ１００がロール紙１１０に邪魔されることなく、印字部４０側に繰り出されることになる。
【００６１】
また、ステップＳ１０において、所定時間経過してもセンサＡによる検出が無ければ（ステップＳ１０：ＮＯ）、用紙ジャム等が発生したことを知らせることが可能となる。
【００６２】
一方、ステップＳ１において、用紙選択コード５３ｇが「２」の場合は、ロール紙１１０に該当しないが（ステップＳ１：ＮＯ）、ＩＣタグ１００に該当するため、ＩＣタグ１００であると判断すると（ステップＳ１２：ＹＥＳ）、振分板７４が矢印ａ方向に回動しているかどうかが判断される（ステップＳ１３）。
【００６３】
ここで、振分板７４が矢印ａ方向に回動している場合は（ステップＳ１３：ＹＥＳ）、振分板７４が水平位置まで戻される（ステップＳ１４）。これにより、筐体７０ａ側の取込口７３が開放される。そして、振分板７４が矢印ａ方向に回動していない場合（ステップＳ１３：ＮＯ）、又はステップＳ１４で振分板７４が水平位置まで戻されると、ＩＣタグ１００がインクジェットヘッド４１側に搬送される（ステップＳ１５）。
【００６４】
この場合、筐体１０ａ側の送り出しローラ１５によって送り出されたＩＣタグ１００が自動給紙切り替え機構３０の繰り出しローラ３１，３２によってインクジェットヘッド４１側に繰り出されると、センサＢによってＩＣタグ１００のたとえば先端部分が検出されたかどうかが判断される（ステップＳ１６）。
【００６５】
ここで、センサＢによってＩＣタグ１００のたとえば先端部分が検出されると（ステップＳ１６：ＹＥＳ）、インクジェットヘッド４１によるＩＣタグ１００への印字開始位置が決定され、インクジェットヘッド４１によるＩＣタグ１００への印字が行われる（ステップＳ１７）。ここでは、上記同様に、上述した印字ジョブのデータに基づき、たとえば印字レイアウト５３ｆ及び用紙選択コード５３ｇを除いた商品名５３ｂ、品番５３ｃ、カラー５３ｄ及びバーコード５３ｅ等が印字される。
【００６６】
これに対し、ステップＳ１６において、所定時間経過してもセンサＢによる検出が無ければ（ステップＳ１６：ＮＯ）、用紙切れや用紙ジャムが発生したことを知らせることが可能となる。
【００６７】
ＩＣタグ１００への印字が終了すると、ＩＣタグ１００に対する印字ジョブが終了かどうかが判断され（ステップＳ１８）、他の用紙選択コード５３ｇが「２」となっている印字ジョブが続いて残っていれば（ステップＳ１８：ＮＯ）、ステップＳ１５に戻り、上述したＩＣタグ１００の搬送が行われる。このＩＣタグ１００の搬送は、印字ジョブが終了（ステップＳ１８：ＹＥＳ）するまで繰り返される。
【００６８】
さらに、ステップＳ１２において、ＩＣタグ１００でなければ（ステップＳ１２：ＮＯ）、用紙選択コード５３ｇが「３」の選択に該当するかどうかが判断される（ステップＳ１９）。
【００６９】
ここでは、上述したように、用紙選択コード５３ｇが「３」の場合は、ＩＣタグ１００又はロール紙１１０のいずれかが選択されることを示しているため、上述した表示部９５にＩＣタグ１００又はロール紙１１０のいずれかの選択を促す内容が表示され、入力部９４からの選択入力の受け付け待ちとなる。この場合、たとえば用紙選択コード５３ｇの「１」又は「２」の数字の入力待ちとすることができる。
【００７０】
そして、ロール紙１１０が選択された場合は、ステップＳ２に移行し、上記同様にしてロール紙１１０への印字が行われる。また、ＩＣタグ１００が選択された場合は、ステップＳ１３に移行し、上記同様にしてＩＣタグ１００への印字が行われる。
【００７１】
このように、本実施形態では、ロール紙１１０とカット紙であるＩＣタグ１００との自動給紙の切り替えを行う自動給紙切り替え機構３０と、少なくともロール紙１１０とＩＣタグ１００との選択を示す用紙選択情報である用紙選択コード５３ｇ及び印字データである商品名５３ｂ、品番５３ｃ、カラー５３ｄ、バーコード５３ｅ等を有する印字ジョブを記憶する記憶手段であるＲＡＭ８３とを有し、制御手段であるＣＰＵ８１により用紙選択コード５３ｇに基づき、自動給紙切り替え機構３０によるロール紙１１０とＩＣタグ１００との自動給紙の切り替えが制御されるようにしたので、ロール紙１１０あるいはＩＣタグ１００の用紙指定を不要とすることができ、印字ジョブの入力を容易に行わせることができる。
【産業上の利用可能性】
【００７２】
商品内容やバーコード等を印字するラベルプリンタ等に適用可能である。
【図面の簡単な説明】
【００７３】
【図１】本発明の印字装置の一実施形態を示す図である。
【図２】図１の自動給紙切り替え機構の詳細を説明するための図である。
【図３】図１の自動給紙切り替え機構の詳細を説明するための図である。
【図４】図１の印字装置の印字部を上方から見た場合の平面図である。
【図５】図１の印字済みの印字媒体を収容するスタッカを説明するための図である。
【図６】図１の制御部の詳細を示すブロック図である。
【図７】図６の制御部のＲＡＭに展開される印字ジョブの内容を説明するための図である。
【図８】図１の印字装置の動作について説明するためのフローチャートである。
【符号の説明】
【００７４】
１  印字装置
１０  カット紙ホルダー
１５  送り出しローラ
１６  用紙検出センサ
２０  ロール紙ホルダー
３０  自動給紙切り替え機構
３１，３２  繰り出しローラ
３３  駆動ローラ
３４  接離ローラ
４０  印字部
４１  インクジェットヘッド
４３  送受信モジュール
５０  搬送機構部
５３ａ  印字ジョブ番号
５３ｂ  商品名
５３ｃ  品番
５３ｄ  カラー
５３ｅ  バーコード
５３ｆ  印字レイアウト
５３ｇ  用紙選択コード
６０  カッタ機構部
８０  制御部
８１  ＣＰＵ
８３  ＲＡＭ
Ａ，Ｂ  センサ
【図１】
2010105199.tif 000003
【図２】
2010105199.tif 000004
【図３】
2010105199.tif 000005
【図４】
2010105199.tif 000006
【図５】
2010105199.tif 000007
【図６】
2010105199.tif 000008
【図７】
2010105199.tif 000009
【図８】
2010105199.tif 000010